(57)【要約】【課題】  例えば、車両のインストルメントパネルに取付けられる電子機器と電子機器に嵌挿する意匠カバーとの位置寸法誤差を補正できる電子機器を提供することを目的とする。【解決手段】  機器本体部と該機器本体部の前面部に固定される前面パネルとからなり車両のインストルメントパネルに取付けられる電子機器において、前面パネルにはインストルメントパネルに取付けるための取付部が前面パネルの本体部の外周面から外周方向へ延在して形成され、取付部には、インストルメントパネルへの取付孔が形成されると共に、取付孔と本体部との間には取付孔に対する本体部の位置関係のズレを吸収する吸収手段、例えば十字孔などが設けられていることを特徴とする。【選択図】  図１
2005313765.tif 000002
【特許請求の範囲】
【請求項１】
機器本体部と該機器本体部の前面部に固定される前面パネルとからなり相手側パネルに取付けられる電子機器において、
前記前面パネルには、前記相手側パネルに取付けるための取付部が該前面パネルの本体部の外周面から外周方向へ延在して形成され、
前記取付部には、前記相手側パネルへの取付孔が形成されると共に、該取付孔と前記本体部との間には、該取付孔に対する該本体部の位置関係のズレを吸収する吸収手段が設けられていることを特徴とする電子機器。
【請求項２】
前記吸収手段は、孔により構成されていることを特徴とする請求項１に記載の電子機器。
【請求項３】
前記吸収手段は、異なった方向に伸びる長孔の組み合わせにより構成されていることを特徴とする請求項２に記載の電子機器。
【請求項４】
前記吸収手段は、長孔が複数箇並列して形成された長孔により構成されていることを特徴とする請求項２に記載の電子機器。
【請求項５】
前記吸収手段は、複数の隣接する孔により構成されていることを特徴とする請求項２に記載の電子機器。
【請求項６】
前記孔は、前記取付部の端部から切欠いた切欠孔であることを特徴とする請求項２に記載の電子機器。
【請求項７】
前記吸収手段は、波形形状により構成されていることを特徴とする請求項１に記載の電子機器。
【請求項８】
前記取付部は、前記前面パネルの正面視状態で天面と略平行にＬ形状の腕部が左右両方向へ延在し、該腕部の自由端側から所定の位置で該前面パネルの前面と略平行に折曲げられ、該折曲げ部に前記相手側パネルへの取付孔が形成されていることを特徴とする請求項１に記載の電子機器。
【請求項９】
機器本体部と該機器本体部の前面部に固定される前面パネルとからなり、相手側パネルに取付けられる電子機器において、
前記前面パネルは、パネル本体部と前面意匠部とからなり、該パネル本体部には前記相手側パネルに取付けるための取付部が該パネル本体部の外周面から外周方向へ延在し、該取付部には該相手側パネルへの取付孔が形成され、
前記パネル本体部と前記前面意匠部とは、弾性を有する接続部にて接続されていることを特徴とする電子機器。
【請求項１０】
前記接続部は、板状をしていると共に、弾性を生じさせる孔が設けられていることを特徴とする請求項９に記載の電子機器。
【発明の詳細な説明】
【技術分野】
【０００１】
本発明は、例えば車両のインストルメントパネルなどに取付けられる電子機器に係り、詳細には、例えばインストルメントパネルに取付けられた該電子機器の前面より嵌挿する意匠カバーとの位置寸法誤差が発生しても補正できる電子機器に関する。
【背景技術】
【０００２】
電子機器を車両のインストルメントパネル（以降インパネと略す）に取付ける場合に全体的な高級感を演出するために、電子機器を取付けた部分で意匠上の不具合部分を意匠カバーで隠して見栄えをよくする取付手段が用いられている。以下に従来の電子機器の取付構造の一例を図１３および図１４を用いて説明する。
【０００３】
図１３は背景技術の電子機器を示す概略図で、（ａ）は正面図、（ｂ）は側面図である。図１４は背景技術の電子機器をインパネに取付け時の部品構成を示す概略斜視図である。
【０００４】
電子機器８０を車両のインパネ９５に取付ける場合には、図１４で示すように電子機器８０（機器本体部８１、前面パネル８２）、取付ブラケット８５およびクラスタ（意匠カバー）９０などにより構成されている。
【０００５】
電子機器８０は、図１３で示すように機器本体部８１と機器本体部８１の前面部に固定される前面パネル８２などにより構成されている。機器本体部８１の両側面にはインパネ９５に取付けるための取付ブラケット８５の取付孔などが形成されている。また、前面パネル８２の前面には、操作釦や表示部などが構成され、前面意匠部となる。
【０００６】
取付ブラケット８５は、略Ｌ字形状をしており一方の面には機器本体部８１への取付孔が形成され、他方の面にはインパネ９５に取付けるための取付孔などが形成されている。取付ブラケット８５の材料にはめっき鋼板などが用いられプレス加工により形成される。
【０００７】
クラスタ９０は、インパネ９５に電子機器８０を取付けた場合に、電子機器８０の前面意匠部に嵌挿し、インパネ９５と電子機器８０との隙間、前後方向の不揃いまたは取付け部などで意匠上の不具合部分を隠したり、または、全体の色調などを考慮して見栄えをよくするための意匠カバーである。クラスタ９０には前面意匠部に係合する挿入窓９１とインパネ９５に設けられた孔９６に取付けたるための係止部９２などが形成されている。
【０００８】
尚、電子機器８０をインパネ９５に取付けるには機器本体部８１の両側面に取付ブラケット８５をそれぞれねじ止め固定する。次に、電子機器８０をインパネ９５の所定の位置に嵌挿し、取付ブラケット８５の取付孔とインパネ９５のねじ孔との位置を合わせ、この状態で、ねじ止めして電子機器８０をインパネ９５に固定する。次に、電子機器８０の前面パネル８２の前方よりクラスタ９０を嵌挿し、クラスタ９０の挿入窓９１を前面意匠部に係合させると共に、クラスタ９０の係止部９２をインパネ９５の孔９６に挿入して固定する。
【０００９】
この出願の発明に関する先行技術文献としては次のものがある。
【特許文献１】特開２００３−１２７７９１号
【特許文献２】特開２００３−１２７７９３号
【発明の開示】
【発明が解決しようとする課題】
【００１０】
しかし、上述の電子機器８０の取付け構造では、電子機器８０の機器本体部８１に固定された組付ブラケット８５により、インパネ９５にねじ止め固定した後にクラスタ９０を前面パネル８２に嵌挿して意匠合わせを行う。しかし、電子機器８０のインパネ９５への取付け精度、前面パネル８２およびクラスタ９０の寸法精度などにばらつきがあるので、インパネ９５に組付けた際に前面パネル８２とクラスタ９０との位置関係に誤差が発生する。その結果、前面パネル８２とクラスタ９０の挿入窓９１との間に位置ずれが発生し、クラスタ９０の挿入に支障をきたす場合がある。位置ずれが大きな状態で無理に挿入すると前面パネル８２に偏荷重が加わり前面パネル８２にストレスが加わると共に、嵌合状態が悪くなり前面パネル８２と挿入窓９１との隙間に偏りが発生し見栄えが悪くなる場合がある。これらの対策としては個々の部品の寸法精度を上げると共に組付け作業の管理水準を上げることにより対応することができるがコスト高につながるおそれがある。
【００１１】
本発明は上述の問題を解決するもので、車両のインパネに取付けられる電子機器と電子機器に嵌挿するクラスタとの位置寸法誤差を補正できる電子機器を提供することを目的とする。
【課題を解決するための手段】
【００１２】
本発明は上述の目的を達成するもので、機器本体部と該機器本体部の前面部に固定される前面パネルとからなり相手側パネルに取付けられる電子機器において、前記前面パネルには、前記相手側パネルに取付けるための取付部が該前面パネルの本体部の外周面から外周方向へ延在して形成され、前記取付部には、前記相手側パネルへの取付孔が形成されると共に、該取付孔と前記本体部との間には、該取付孔に対する該本体部の位置関係のズレを吸収する吸収手段が設けられていることを特徴とするものである。
【００１３】
また、前記吸収手段は、孔により構成されていることを特徴とするものである。
【００１４】
また、前記吸収手段は、異なった方向に伸びる長孔の組み合わせにより構成されていることを特徴とするものである。
【００１５】
また、前記吸収手段は、長孔が複数箇並列して形成された長孔により構成されていることを特徴とするものである。
【００１６】
また、前記吸収手段は、複数の隣接する孔により構成されていることを特徴とするものである。
【００１７】
また、前記孔は、前記取付部の端部から切欠いた切欠孔であることを特徴とするものである。
【００１８】
また、前記吸収手段は、波形形状により構成されていることを特徴とするものである。
【００１９】
また、前記取付部は、前記前面パネルの正面視状態で天面と略平行にＬ形状の腕部が左右両方向へ延在し、該腕部の自由端側から所定の位置で該前面パネルの前面と略平行に折曲げられ、該折曲げ部に前記相手側パネルへの取付孔が形成されていることを特徴とするものである。
【００２０】
また、機器本体部と該機器本体部の前面部に固定される前面パネルとからなり、相手側パネルに取付けられる電子機器において、前記前面パネルは、パネル本体部と前面意匠部とからなり、該パネル本体部には前記相手側パネルに取付けるための取付部が該パネル本体部の外周面から外周方向へ延在し、該取付部には該相手側パネルへの取付孔が形成され、前記パネル本体部と前記前面意匠部とは、弾性を有する接続部にて接続されていることを特徴とするものである。
【００２１】
また、前記接続部は、板状をしていると共に、弾性を生じさせる孔が設けられていることを特徴とするものである。
【発明の効果】
【００２２】
以上説明したように本発明によれば、例えば車両のインパネに電子機器を取付ける場合に、該電子機器の前面より嵌挿するクラスタ（意匠カバー）との位置寸法誤差を補正できる電子機器を提供することができる。
【発明を実施するための最良の形態】
【００２３】
本発明の電子機器を車両のインパネに取付ける場合の、事例の一部を図１乃至図１０を用いて説明する。
【実施例１】
【００２４】
本発明の実施例１について図１および図２を用いて説明する。
【００２５】
図１は本発明の実施例１の電子機器を示す概略図で、（ａ）は正面図、（ｂ）は側面図である。図２は実施例１の電子機器をインパネに取付け時の部品構成を示す概略斜視図である。
【００２６】
電子機器１０を車両のインパネ２０に取付ける場合には、図２で示すように電子機器１０およびクラスタ（意匠カバー）２５などにより構成されている。
【００２７】
電子機器１０は、図１で示すように機器本体部１１と機器本体部１１の前面部に固定される前面パネル１２などにより構成されている。前面パネル１２の前面には操作釦や表示部などが構成され、前面意匠部となる。また、前面パネル１２には車両のインパネ２０に取付けるための取付部１４が、本体部の側面１３から正面視左右方向へ前面パネル１２の前面と略平行に延在して一体に形成されており、取付部１４にはインパネ２０に取付けるための取付孔１５が形成されている。また、取付孔１５と本体部の側面１３との間には、前面パネル１２（電子機器１０）に外力が加わった場合に前面パネル１２が、外力が加わった方向へ移動し、取付孔１５に対して双方の位置関係のズレを吸収できるように略水平、垂直方向に交わる十字形状の補正孔１６が形成されている。
【００２８】
クラスタ２５は、インパネ２０に電子機器１０を取付けた場合に、電子機器１０の前面パネル１２に嵌挿し、インパネ２０と前面パネル１２（電子機器１０）との隙間、前後方向の不揃いまたは取付け部などで意匠上の不具合部分を隠したり、または、全体の色調などを考慮して見栄えをよくするための意匠カバーである。クラスタ２５には前面パネル１２の前面意匠部の外周に係合する挿入窓２６とインパネ２０に設けられた孔２１に係止固定するための係止部２７などが形成されている。
【００２９】
以上説明したように、本発明の実施例１の電子機器１０によれば、電子機器１０をインパネ２０に取付ける場合に、前面パネル１２の前面意匠部の外周と前面意匠部に嵌挿するクラスタ２５の挿入窓２６との位置関係に誤差が生じ、前面パネル１２に対し偏った方向に力が加わっても、前面パネル１２の取付部１４に十字形状の補正孔１６が設けられているので、補正孔１６の部分が変形して相互のズレを吸収できるようになっている。したがって、前面パネル１２（電子機器１０）とクラスタ２５とが無理なく組付けることができるので、組付け作業性と組付け品質の向上が図れるのでコスト低減につながる。
【００３０】
その他に、インパネ２０への取付部１４を前面パネル１２と一体形成することにより、従来用いられていた複数箇（２個）の取付ブラケット８５が不要となり構成部品点数が減少するので、部品費が削減できると共に組付け作業が容易となりコスト低減が図れる。
【００３１】
尚、本発明の実施例１では前面パネル１２の取付部１４に十字形状の補正孔１６を設けたが、これに限らず例えば図３乃至図９に示す取付部（補正孔）を設けてもよい。図３乃至図９に示す取付部は補正孔を除き実施例１と略同じであるので、同じ構成については同じ符号を付し説明を省略し実施例１との相違点を重点に説明する。
【００３２】
先ず、第1例の取付部１４について図３を用いて説明する。図３は実施例１の取付部と一部が異なる第１例の取付部を示す概略正面図である。取付部１４には図３で示すように略垂直方向に伸びる２本の長孔が水平方向に所定の間隔をおいて並設されており、長孔の略中央部に２本の長孔を連結するように水平方向に設けられた連結孔によりＨ形状の補正孔３１が形成されている。尚、取付部１４に外力が加わると補正孔３１がＨ孔の中央部の方向へ変形しやすくなるので、製品の左右で上下方向に規制がある場合の取付けに適している。
【００３３】
次に、第２例の取付部１４について図４を用いて説明する。図４は実施例１の取付部と一部が異なる第２例の取付部を示す概略正面図である。取付部１４には図４で示すように対角斜め方向に伸びる２本の孔が略中央部で交差するように設けられた孔、即ちＸ形状の補正孔３３が形成されている。尚、取付部１４に外力が加わると補正孔３３がＸ形状をしているので斜め方向へ変形しやすくなるので、斜め方向への位置ズレの位置補正が容易である。
【００３４】
次に、第３例の取付部１４について図５を用いて説明する。図５は実施例１の取付部と一部が異なる第３例の取付部を示す概略正面図である。取付部１４には図５で示すように垂直方向に伸びる長孔の補正孔３５が水平方向に複数本並列して形成されている。尚、取付部１４の補正孔３５が水直方向に伸びており垂直方向に変形しやすくなるので、水直方向の位置補正が容易である。
【００３５】
次に、第４例の取付部１４図について６を用いて説明する。図６は実施例１の取付部と一部が異なる第４例の取付部を示す概略正面図である。取付部１４には図６で示すように水平方向に伸びる長孔の補正孔３７が垂直方向に複数本並列して形成されている。尚、取付部１４の補正孔３７が水平方向に伸びており垂直方向に変形しやすくなるので、水直方向の位置補正が容易である。
【００３６】
次に、第５例の取付部１４について図７を用いて説明する。図７は実施例１の取付部と一部が異なる第５例の取付部を示す概略正面図である。取付部１４には図７で示すように多角形の孔例えば六角孔の補正孔３９が千鳥状に複数個、換言すれば２次元上で広がるように隣接して形成されている。取付部１４が水平、垂直および斜め方向に変形しやすくなるので、全方向の位置補正を必要とするものに適している。尚、六角孔の替わりに例えば円孔などを設けてもよく、その他に網目状に形成してもよい。
【００３７】
次に、第６例の取付部１４について図８を用いて説明する。図８は実施例１の取付部と一部が異なる第６例の取付部を示す概略正面図である。取付部１４には図８で示すように取付部１４の端部、具体的には垂直上側方向または下側方向（図示省略）から切欠いた切欠孔の補正孔４０が形成されており、取付部１４が左右前後方向に変形して双方の位置ズレを吸収するので、製品の左右前後方向の位置補正が容易である。
【００３８】
次に、第７例の取付部１４について図９を用いて説明する。図９は実施例１の取付部と一部が異なる第７例の取付部を示す概略図で、（ａ）は正面図、（ｂ）は側面図である。取付部１４には図９で示すように補正孔の替わりに水平方向へ流れる波形形状（蛇腹状）の補正部４２が形成されており、取付部１４が左右前後方向に変形しやすくなり位置補正されるので、製品の左右前後方向に規制がある場合に適している。その他に、取付部１４に孔が形成されていないので強度的に優れている。
【００３９】
尚、本発明の実施例１では同じ形状の補正孔を左右両方の取付部１４に設けたが、これに限らず、第１例乃至第７例で示した取付部を必要により組み合わせ、左右にそれぞれ異なる形状の補正孔を有する取付部１４を設けることもできる。その他に、電子機器１０をインパネ２０に組付ける場合について説明したが、これに限らず本例と同じ取付構造のものであれば本発明を適用することができる。
【００４０】
尚、インパネ２０に組付ける電子機器１０の重量または形状などにより取付構造を補強する必要がある場合には、例えば図１０で示す補強構造を用いることもできる。図１０は実施例１の電子機器の取付構造を補強する補強構造を示す概略側面図である。
【００４１】
４５は電子機器１０の取付構造を補強する補強部品で、図１０で示すように電子機器１０を前面パネル１２の取付部１４でインパネ２０に取付ける場合に、必要により電子機器１０の機器本体部１１の後端部を保持するようになっている。補強部品４５はコ字形状をなし機器本体部１１の後端部外周（厚み方向）に嵌入する嵌合部４６と、嵌合部４６を所定の高さに保持するＬ字形状の支持部４７とから構成され、支持部４７の下部取付部４８には車両側４９またはインパネ２０にねじ止め固定するための取付孔などが形成されている。尚、嵌合部４６には弾性を持たせ、機器本体部１１の後端部外周を弾性的に把持できるような寸法に形成されている。
【実施例２】
【００４２】
本発明の実施例２について図１１を用いて説明する。
【００４３】
図１１は本発明の実施例２の電子機器を示す概略図で、（ａ）は正面図、（ｂ）は側面図である。尚、実施例２は実施例１の取付部を除き実施例１と略同じであるので、同じ構成については同じ符号を付し説明を省略し実施例１との相違点を重点に説明する。
【００４４】
電子機器１０は、図１１で示すように機器本体部１１と機器本体部１１の前面部に固定される前面パネル１２などにより構成されている。前面パネル１２の前面には操作釦や表示部などが構成され前面意匠部となる。また、前面パネル１２の本体部の側面１３には車両のインパネ２０に取付けるための取付部５０が、前面パネル１２の正面視左右側面から前面パネル１２の天面と略平行に左右方向へ延在し、所定の位置から前面パネル１２の前面と略平行（垂直）に延在してＬ形状の腕部が形成され、腕部の垂直部５１にはインパネ２０に取付けるための取付孔１５が形成されている。
【００４５】
以上説明したように、本発明の実施例２の電子機器１０においても、電子機器１０をインパネ２０に取付ける場合に、前面パネル１２の前面意匠部の外周と前面意匠部に嵌挿するクラスタ２５の挿入窓２６との位置関係に誤差が生じ、前面パネル１２に対し偏った方向に力が加わっても、取付部５０がＬ形状をしているので腕部が前後、上下、左右方向に変形し、前面パネル１２（電子機器１０）がクラスタ２５の挿入窓２６に沿って位置関係が補正される。したがって、組付け作業性と組付け品質の向上が図れるのでコスト低減につながる。その他に、実施例１と同じようにインパネ２０への取付部５０を前面パネル１２と一体形成することにより、従来用いられていた複数箇（２個）の取付ブラケット８５が不要となり構成部品点数が減少するので、部品費が削減できると共に組付け作業が容易となりコスト低減が図れる。
【００４６】
尚、実施例２ではＬ形状をしている腕部の自由端部が地面方向になるように構成されているが、これに限らず腕部の自由端部が天面側方向になるように構成することもできる。その他に、インパネ２０に組付ける電子機器１０の重量または形状などにより取付け構造を補強する必要がある場合には実施例１と同じ補強構造を用いることもできる。
【実施例３】
【００４７】
本発明の実施例３について図１２を用いて説明する。
【００４８】
図１２は本発明の実施例３の電子機器を示す概略図で、（ａ）は正面図、（ｂ）は側面図、（ｃ）は平面図である。
【００４９】
電子機器６０は、図１２で示すように機器本体部６１と機器本体部６１の前面部に固定される前面パネル６２などにより構成されている。
【００５０】
前面パネル６２は、パネル本体部６３と前面意匠部６４とからなり、パネル本体部６３にはインパネ２０に取付けるための取付部６５がパネル本体部６３から外周方向へ延在し、取付部６５にはインパネ２０への取付孔６６が形成されている。パネル本体部６３と前面意匠部６４とは、前後方向（重なる方向）へ所定の間隔を置いて前面意匠部６４の四隅に弾性を有する柱状の接続部６７にて接続されている。また、前面意匠部６４には操作釦や表示部などが構成されており、前面意匠部６４とパネル本体部６３とは、例えばフレキシブル基板などにより接続されている。
【００５１】
尚、電子機器６０を車両のインパネ２０に取付けた後にクラスタ２５を用いる場合には、クラスタ２５の挿入窓２６が前面パネル６２の前面意匠部６４に嵌挿状態となる。
【００５２】
以上説明したように、本発明の実施例３の電子機器６０においては、前面パネル６２がパネル本体部６３と前面意匠部６４とに分割され、それぞれが弾性を有する柱状の接続部６７にて接続されているので、電子機器６０をインパネ２０に取付ける場合に、前面意匠部６４の外周とクラスタ２５の挿入窓２６との位置関係に誤差が生じ、前面意匠部６４に対し偏った方向に力が加わっても接続部６７が左右、上下、斜め方向に変形し、前面意匠部６４がクラスタ２５の挿入窓２６に沿って移動し位置関係が補正される。したがって、組付け作業性と組付け品質の向上が図れるのでコスト低減につながる。その他に、実施例１と同じようにインパネ２０への取付部６５をパネル本体部６３と一体形成することにより、従来用いられていた複数箇（２個）の取付ブラケットが不要となり構成部品点数が減少するので、部品費が削減できると共に組付け作業が容易となりコスト低減が図れる。
【００５３】
尚、本発明の実施例３の説明ではパネル本体部６３と前面意匠部６４との接続を柱状の接続部６７にて接続したが、これに限らずパネル本体部６３と前面意匠部６４の少なくとも対向する二方向を板状の接続部で接続し、板状の接続部に例えば本発明の実施例１で説明した補正孔８種類のような補正孔を設けてもよい。その他に、インパネ２０に組付ける電子機器８０の重量または形状などにより取付け構造を補強する必要がある場合には実施例１と同じ補強構造を用いることもできる。
【図面の簡単な説明】
【００５４】
【図１】本発明の実施例１の電子機器を示す概略図で、（ａ）は正面図、（ｂ）は側面図である。
【図２】実施例１の電子機器をインパネに取付け時の部品構成を示す概略斜視図である。
【図３】実施例１の取付部と一部が異なる第１例の取付部を示す概略正面図である。
【図４】実施例１の取付部と一部が異なる第２例の取付部を示す概略正面図である。
【図５】実施例１の取付部と一部が異なる第３例の取付部を示す概略正面図である。
【図６】実施例１の取付部と一部が異なる第４例の取付部を示す概略正面図である。
【図７】実施例１の取付部と一部が異なる第５例の取付部を示す概略正面図である。
【図８】実施例１の取付部と一部が異なる第６例の取付部を示す概略正面図である。
【図９】実施例１の取付部と一部が異なる第７例の取付部を示す概略図で、（ａ）は正面図、（ｂ）は側面図である。
【図１０】実施例１の電子機器の取付構造を補強する補強構造を示す概略側面図である。
【図１１】本発明の実施例２の電子機器を示す概略図で、（ａ）は正面図、（ｂ）は側面図である。
【図１２】本発明の実施例３の電子機器を示す概略図で、（ａ）は正面図、（ｂ）は側面図、（ｃ）は平面図である。
【図１３】背景技術の電子機器を示す概略図で、（ａ）は正面図、（ｂ）は側面図である。
【図１４】背景技術の電子機器をインパネに取付け時の部品構成を示す概略斜視図である。
【符号の説明】
【００５５】
１０、６０・・・電子機器
１１、６１・・・機器本体部
１２、６２・・・前面パネル
１３・・・側面
１４、５０、６５・・・取付部
１５、６６・・・取付孔
１６、３０、３３、３５、３７、３９、４０・・・補正孔
２０・・・インパネ
２１・・・孔
２５・・・クラスタ
２６・・・挿入孔
２７・・・係止部
４２・・・補正部
４５・・・補強部
４６・・・嵌合部
４７・・・支持部
４８・・・下部取付部
４９・・・車両側
５０・・・取付部
５１・・・垂直部
６３・・・パネル本体部
６４・・・前面意匠部
６７・・・接続部
【図１】
2005313765.tif 000003
【図２】
2005313765.tif 000004
【図３】
2005313765.tif 000005
【図４】
2005313765.tif 000006
【図５】
2005313765.tif 000007
【図６】
2005313765.tif 000008
【図７】
2005313765.tif 000009
【図８】
2005313765.tif 000010
【図９】
2005313765.tif 000011
【図１０】
2005313765.tif 000012
【図１１】
2005313765.tif 000013
【図１２】
2005313765.tif 000014
【図１３】
2005313765.tif 000015
【図１４】
2005313765.tif 000016